(57)【要約】      （修正有）【課題】ユーザが不在であると節電モードに切り替わる装置において、使い勝手が良く、省電力性に優れた装置を提供する。【解決手段】コンテンツが入力されるコンテンツ入力部と、コンテンツのデコード処理を行うデコード部と、デコード部でデコードされたコンテンツを出力する映像出力部と、ユーザの動きに応じて出力レベルが変化するセンサと、前記センサの出力レベルと所定の閾値を比較してユーザの有無を判断するユーザ検出部と、閾値が記録される記憶部と、を有するコンテンツ表示装置において、記録部に閾値が複数記録されており、ユーザ検出部は記録されている複数の閾値から１つの閾値を用いるように構成する。【選択図】図１
2013031027.tif 000002
【特許請求の範囲】
【請求項１】
コンテンツが入力されるコンテンツ入力部と、
該コンテンツのデコード処理を行うデコード部と、
前記デコード部でデコードされたコンテンツを出力する映像出力部と、
ユーザの動きに応じて出力レベルが変化するセンサと、
前記センサの出力レベルと所定の閾値を比較してユーザの有無を判断するユーザ検出部と、
前記閾値が記録される記憶部と、を有するコンテンツ表示装置であって、
前記記録部に前記閾値が複数記録されており、前記ユーザ検出部は前記記録されている複数の閾値から１つの閾値を用いることを特徴とするコンテンツ表示装置。
【請求項２】
請求項１のコンテンツ表示装置であって、
前記ユーザ検出部がユーザ不在と判断している時間を計測するタイマを有し、
前記タイマで測定した時間が所定の時間を経過した場合に、前記閾値の変更を促す情報を表示することを特徴としたコンテンツ表示装置。
【請求項３】
請求項２のコンテンツ表示装置であって、
ユーザからの指示が入力されるユーザインタフェース部を有し
前記閾値の変更を促す情報を表示してから所定の時間の間に、前記ユーザインタフェースの入力に応じて前記閾値の設定を変更することを特徴としたコンテンツ表示装置。
【請求項４】
請求項２のコンテンツ表示装置であって、
ユーザを撮像する撮像部と、
前記撮像部のデータからユーザの動きを解析する動き解析部と、を有し、
前記閾値の変更を促す情報を表示してから所定の時間の間に、前記動き解析部が所定の動きを検知すると、前記閾値の設定を変更することを特徴としたコンテンツ表示装置。
【請求項５】
請求項１のコンテンツ表示装置であって、
ネットワークに接続するネットワークインタフェース部と、
前記コンテンツ表示装置が設置される地域の情報を入力する入力手段と、を有し、
前記入力手段に入力された地域の情報に基づいて前記ネットワークインタフェース部を介して前記地域の気象に関する情報を取得し、当該取得した気象に関する情報に基づいて前記ユーザ検出部で用いる閾値を設定することを特徴としたコンテンツ表示装置。
【請求項６】
請求項１のコンテンツ表示装置であって、
前記コンテンツ表示装置が設置される地域に基づいて前記ユーザ検出部で用いる閾値を設定することを特徴としたコンテンツ表示装置。
【発明の詳細な説明】
【技術分野】
【０００１】
技術分野は、映像信号や音声信号の再生に関する。
【背景技術】
【０００２】
消費電力を節約するために、人の動きを検知する人感センサを用いた機器が普及してきている。例えば、特許文献１には、「テレビなどのＡＶ機器に人感センサを取り付け、通常モードと節電モードを設定して、それぞれのモードで人感センサの機能を働かせることによって、きめ細かな節電効果を達成することのできる人感センサ機能付きＡＶ機器を提供すること」（特許文献１[０００７]参照）を課題とし、その解決手段として「人の存在を感知する人感センサが設置され、手動で電源をオフし得る通常モードと節電効果を奏し得る節電モードとが設定された人感センサ機能付きＡＶ機器であって、前記節電モードが設定された場合、前記人感センサが規定された所定時間だけ人の存在を検知できないときには自動的に待機モードに切り替えられ、前記待機モードが規定された所定時間だけ経過すれば電源を自動的にオフする構成とする」（特許文献１[０００８]参照）ことが開示されている。
【先行技術文献】
【特許文献】
【０００３】
【特許文献１】特開２００７-９６４６２
【発明の概要】
【発明が解決しようとする課題】
【０００４】
ところが、特許文献１では、ユーザが節電モードに切り替えることを希望していないにもかかわらず、節電モードに切替えてしまうおそれがある。
【課題を解決するための手段】
【０００５】
上記課題を解決するために、例えば特許請求の範囲に記載の構成を採用する。
本願は上記課題を解決する手段を複数含んでいるが、その一例を挙げるならば、コンテンツが入力されるコンテンツ入力部と、コンテンツのデコード処理を行うデコード部と、デコード部でデコードされたコンテンツを出力する映像出力部と、ユーザの動きに応じて出力レベルが変化するセンサと、前記センサの出力レベルと所定の閾値を比較してユーザの有無を判断するユーザ検出部と、閾値が記録される記憶部と、を有するコンテンツ表示装置において、記録部に閾値が複数記録されており、ユーザ検出部は記録されている複数の閾値から１つの閾値を用いることを特徴とする。
【発明の効果】
【０００６】
上記手段によれば、ユーザにとって使い勝手が良く、省電力性に優れた装置を提供することができる。
【図面の簡単な説明】
【０００７】
【図１】実施例１におけるコンテンツ表示装置の構成の一例を示す図
【図２】センサ制御部の感度設定一例を示す図
【図３】動き検出用波形と感度設定の一例を示す図
【図４（ａ）】コンテンツ表示装置の表示モードの一例を示す図
【図４（ｂ）】コンテンツ表示装置の表示モードの一例を示す図
【図４（ｃ）】コンテンツ表示装置の表示モードの一例を示す図
【図５】動き検出用波形の一例を示す図
【図６】動き検出用波形の一例を示す図
【図７】入力装置の一例を示す図
【図８】実施例１におけるコンテンツ表示装置の処理の一例を示す図
【図９】実施例１におけるコンテンツ表示装置の処理の一例を示す図
【図１０】動き検出用波形と感度設定の一例を示す図
【図１１】実施例2におけるコンテンツ表示装置の構成の一例を示す図
【図１２】コンテンツ表示装置の表示モードの一例を示す図
【図１３】実施例２におけるコンテンツ表示装置の処理の一例を示す図
【図１４】実施例３におけるコンテンツ表示装置動作の一例を示す図
【図１５】実施例３におけるシステム構成の一例を示す図
【図１６】実施例３における感度設定の一例を示す図
【図１７】実施例３におけるコンテンツ表示装置の動作の一例を示す図
【発明を実施するための形態】
【０００８】
以下、本発明に係る実施例について図を用いて説明する。
【実施例１】
【０００９】
本実施例では、コンテンツ表示装置の動き検出感度の設定方法について具体的な例について説明する。図１は、本実施例におけるコンテンツ表示装置の構成の一例を示した図である。
【００１０】
図１において、３００はコンテンツ表示装置であり、３５０はテレビやラジオ等のコンテンツを配信する放送局から放送されたコンテンツ信号およびコンテンツに関連した情報等を受信するアンテナであり、３６０はネットワークであり、家庭内外のネットワークに接続し、情報を送受信する。３７０はユーザがコンテンツ表示装置３００を操作するための操作装置であり、ユーザが操作するボタンあるいはキー、タッチパネル等の入力装置が搭載され、ユーザが入力装置を操作することによりコンテンツ表示装置に操作信号を送るリモートコントローラ（以下、リモコン）、キーボード、操作端末等である。
【００１１】
コンテンツ表示装置３００の３０１はコンテンツ記録再生部、３０２はチューナ部、３０３はネットワークインタフェース部、３０４はコンテンツ切替え部、３０５は映像・音声デコード部、３０６は映像合成処理部、３０７は映像出力部、３０８は音声出力部、３０９はユーザI/O部、３２１はタイマ、３２３はセンサ、３２４は増幅回路、３２５はＡ／Ｄ変換回路、３２２はセンサ制御部、３１１は制御部、３１２はメモリである。なお、図１では３０１〜３１１、３２１〜３２５の各部は独立しているが、必要に応じて１または複数の構成要件で構成しても良い。例えば、３０４、３０５、３０６は１または複数の中央処理装置（CPU）でその処理を行うように構成しても良い。
【００１２】
チューナ部３０２は、ラジオ、テレビ、ケーブルテレビ（CATV）などの映像や音声、電子番組ガイド（EPG）などのデータをアンテナ３５０から受信し、選局を行う。
【００１３】
ネットワークインタフェース部３０３は、インターネット網、電話回線、ローカルエリアネットワーク（LAN）などのネットワーク３６０からのコンテンツを受信するための入力装置である。
【００１４】
コンテンツ記録再生部３０１は、制御部３１１の指示に従い、記憶部３１０へのコンテンツの記録および記憶部３１０に記憶されているコンテンツの再生を行う。
【００１５】
コンテンツ切替え部３０４は、コンテンツ記録再生部３０１、チューナ部３０２、ネットワークインタフェース部３０３などから映像や音声、文字などのコンテンツの信号を入力し、選択して出力する。また、光ディスクなどのプレーヤ装置やゲーム機などからコンテンツの信号を入力してもよい。
【００１６】
映像・音声デコード部３０５は、コンテンツのデコード処理や、制御部３１１の要求に従った映像や音声の変換処理などを行って結果得られた映像データを映像合成処理部３０６に、音声データを音声出力部３０８に伝送する。映像合成処理部３０６は制御部３１１の要求に従い、必要に応じてメッセージや文字等を映像データと合成処理して映像出力部３０７に伝送する。
【００１７】
映像出力部３０７は、液晶や有機エレクトロルミネッセンス（有機ＥＬ）、プラズマ、発光ダイオード（ＬＥＤ）などの表示装置や、外部の表示デバイスに映像信号を出力するインタフェースであり、映像・音声デコード部３０５からの入力に従って、映像や文字などの情報を出力する。
【００１８】
音声出力部３０８は、スピーカなどの音声装置に音声信号を出力するインタフェースであり、映像・音声デコード部３０５からの入力に従って、音声などの情報を出力する。
【００１９】
記憶部３１０はハードディスクドライブ（ＨＤＤ）やソリッドステートドライブ（ＳＳＤ）などの半導体素子でできたメモリなどで構成され、ディレクトリ構成を持ち、ファイル単位でコンテンツを記録できる。また、要求に応じて指定した位置からコンテンツを読み出せる仕組みを持つ。
【００２０】
制御部３１１は、ＣＰＵ（Ｃｅｎｔｒａｌ  Ｐｒｏｃｅｓｓｉｏｎｇ  Ｕｎｉｔ）、ＭＰＵ（Ｍｉｃｒｏ  Ｐｒｏｃｅｓｓｉｏｎｇ  Ｕｎｉｔ）、及びＤＳＰ（Ｄｉｇｉｔａｌ  Ｓｉｇｎａｌ  Ｐｒｏｃｅｓｓｏｒ）等から構成され、所定の動作制御用プログラムを実行するなどして、コンテンツ表示装置３００全体の動作を制御する。また、ユーザＩ／Ｏ部３０９からの入力やセンサ３２１からの情報に基づいて、コンテンツ記録再生部３０１、チューナ部３０２、ネットワークインタフェース部３０３、コンテンツ切替え部３０４、映像・音声デコード部３０５、映像出力部３０７、音声出力部３０８、センサ３２３、タイマ３２１を制御する。
【００２１】
メモリ２１２は、例えばＲＯＭ（ＲｅＡ／Ｄ Ｏｎｌｙ Ｍｅｍｏｒｙ）やＲＡＭ（Ｒａｎｄｏｍ Ａｃｃｅｓｓ Ｍｅｍｏｒｙ）であり、制御部３１１はＲＯＭに記録された動作制御用プログラムをＲＡＭに展開して実行する。
【００２２】
タイマ３２３は、時刻情報を管理し、任意のタイミングからの時間を計測できる機能を持ち、センサ出力値の時刻情報や人物の不在時間計測などに利用する。
【００２３】
ユーザＩ／Ｏ部３０９は、操作装置３７０からの信号を受信する受光部や操作パネルなどで構成され、ユーザからの入力を受け付けることができるインタフェースである
センサ３２３は、人感センサやカメラセンサ、マイクセンサなどで構成され、検知エリア内の人物の在不在や視聴状況、視聴者数、視聴者識別などを検知する。センサの種類に関してはこれらに限定されず、人物の存在を検知できるセンサであれば他のセンサでもよい。
【００２４】
増幅回路３２４はセンサの出力を増幅し、Ａ／Ｄ変換回路３２５は増幅回路３２４により増幅されたセンサの出力をデジタル信号に変換する。
【００２５】
センサ制御部３２２は、増幅回路３２４から出力されたデジタル信号と、制御部３１１から設定された閾値から人物の動作を検知し、人物の在不在を判断する。人物の在不在を判断、例えば、人物の不在を検知してコンテンツ表示装置３００の消費電力量を下げる「節電モード」への切り替えに使用する。「節電モード」は、制御部３１１からの制御要求によって映像出力部３０７における映像出力輝度を低減する、表示画面のバックライトを消す、音声出力部３０８における音声出力レベルを低減する、映像・音声デコード部３０５におけるコンテンツ信号のデコードを中止する、あるいはこれらの組み合わせによって実現する。さらに、制御部か３１１から映像出力部３０７に対しての電源ＯＦＦや、映像表示の停止、映像表示輝度の低減などを指示することにより、コンテンツ再生装置３００の消費電力を抑える節電状態を実現する。映像出力部３０７に対して電源ＯＦＦや、映像表示の停止を指示する代わりに、映像出力部３０７への映像信号の出力を停止しても同様に節電状態を実現することができる。
【００２６】
また、映像出力部３０７や音声出力部３０８を外部の出力デバイスとして構成した場合は、制御部３０６からの制御要求によって外部出力デバイスの電源を切る、外部出力デバイスにおける映像出力輝度を低減する、外部出力デバイスにおけるにおける音声出力レベルを低減する、あるいはこれらの組み合わせによって「節電モード」を実現する。
【００２７】
人物の在不在を検知する動作検知感度は、設定する閾値のレベルにより変えることができる。
【００２８】
図２に、感度と閾値のレベルの組み合わせの例を示す。図２では、３種類の感度の設定の例を示しており、感度弱２８１に設定した場合には閾値レベルの上部はＡ０、下部はＡ１に設定され、感度弱２８２に設定した場合には閾値レベルの上部はＢ０、下部はＢ１に設定され、感度弱２８３に設定した場合には閾値レベルの上部はＣ０、下部はＣ１に設定されることを示している。
【００２９】
これらの設定値はメモリ３１２あるいは記憶部３１０に保存されており、ユーザが感度設定変更の操作を行う等、必要に応じて制御部３２２が設定する。なお、閾値レベルＡ０、Ａ１、Ｂ１、Ｂ２、Ｃ１、Ｃ２は、例えば、電圧あるいはＡ／Ｄ変換回路３２５で出力されるデジタルデータのいずれかの値であり、閾値レベルＡ０が最も大きく、以下閾値レベルＡ１、Ｂ１、Ｂ２、Ｃ１、Ｃ２の順に小さくなっていく。
【００３０】
図３に、図２の設定値を変えた場合の、動作検知用波形と閾値レベル設定例を示す。２０１は閾値レベルＡ０、２０２は閾値レベルＡ１、２１１は閾値レベルＢ０、２１２は閾値レベルＢ１、２２１は閾値レベルＣ０、２２２は閾値レベルＣ１を示している。
【００３１】
２３０は動作検知用波形であり、センサ３２３の出力電圧を増幅回路３２４で増幅した出力波形である。２３１及び２３２は制御部３１１により設定された閾値、２４１は感度が弱の期間、２４２は感度が中の期間、２４３は感度が強い期間、２５０は感度切替えタイミングＴＣ０、２５１は感度切替えタイミングＴＣ１を示している。また、縦軸は出力レベルを、横軸は時間を示している。
【００３２】
感度の切替えは、例えばユーザの操作するタイミングで切替えられ、感度切替えタイミングＴＣ０（２５０）では、感度を弱から中へ、感度切替えタイミングＴＣ０（２５１）では、感度を中から強へ切り替えている。
【００３３】
感度弱の期間２４１では、出力波形２３１は設定された閾値２３１の閾値レベルＡ１（２０１）を超えることなく、また、設定された閾値２３２の閾値レベルＡ０（２１１）より小さくもならないため、センサ制御部３１１は人物の動作を検知したと判断しない。
【００３４】
次に、感度が切り替えられた感度中の期間２４２では、出力波形２３１は設定された閾値２３１の閾値レベルＢ０（２１１）を超え、また、設定された閾値２３２の閾値レベルＢ１（２１１）より小さくなる部分があり、センサ制御部３１１は人物の動作を検知したと判断する。
【００３５】
次に、感度が切り替えられた感度強の期間２４３でも、出力波形２３１は設定された閾値２３１の閾値レベルＣ０  ２２１を超え、また、設定された閾値２３２の閾値レベルＣ１（２２１）より小さくなる部分があり、センサ制御部３１１は人物の動作を検知したと判断する。
【００３６】
以上説明したように、動作検出感度へ変更することにより、人物が在室しているかいないかの判断が変わってくるため、感度の設定値の選択は重要である。例えば、図３の出力波形が、人物の不在状態であり、環境ノイズの波形であるならば感度の設定値は弱にするのが望ましいし、人物の在室の状態であれば、感度の設定値を中あるいは強にするのが望ましい。また、感度の設定値を強くすると環境ノイズを拾いやすく、誤認識の原因となる。
【００３７】
また、センサ３２３の出力波形は、ユーザの動きや位置、周囲の環境により変化する為、ユーザが在室中に容易に感度を変更できるようにすることで、より快適なコンテンツ視聴が可能になる。次に、感度の設定値を容易に変更する方法について説明する。
【００３８】
図４は、節電機能の動作の一例を示すものである。図１と同じものには同じ番号を付し、説明は省略する。図４（ａ）は、コンテンツ表示装置３００を視聴しているユーザ１がコンテンツ表示装置３００の視聴エリアにいるときの様子を示す。コンテンツ表示装置３００は、「通常モード」で動作している。ここで「通常モード」とは、たとえば、ユーザが設定した、あるいは初期設定された明るさの映像を映像出力部３０７で表示し、ユーザが設定した、あるいは初期設定されたで音声出力部３０８から音を出すモードである。
【００３９】
図４（ａ）の時のセンサ３２３の出力波形の一例を図５に示す。図３と同じものには同じ番号を付し、説明は省略する。図１のセンサ３２３の出力波形３２３は熱源が動くことにより出力レベルが変化するものであるため、ユーザ１がある程度の動きをしている場合、出力波形２３０は閾値２３１以上、あるいは閾値２３２以下になり、センサ制御部３２１はユーザが存在すると判断が可能である。
【００４０】
センサ制御部３２２でユーザが存在すると判断した場合、制御部３１１は通常通り表示を行う「通常モード」で表示するように映像・音声デコード部３０５および映像合成処理部３０６、映像出力部３０７、音声出力部３０８を制御する。
【００４１】
図５の出力波形２３０は設定された閾値レベル２３１を超える部分および閾値レベル２３２より小さい部分があり、センサ制御部３１１はユーザが在室していると判断し、通常モードで表示する。ここで、ユーザの動きが小さい、あるいは、室温が高く周囲温度と体温の差が少ない等の場合、ユーザが在室していてもセンサ３２３の出力波形の振幅は小さくなる。
【００４２】
図６に、出力波形の振幅が閾値を超えない場合のセンサ３２３の出力波形の一例を示す。図３と同じものには同じ番号を付し、説明は省略する。出力波形２３０は、閾値２３１あるいは閾値２３２を超えていないので、センサ制御部３２１はユーザが不在と判断する。
【００４３】
センサ制御部３２１がユーザ不在と判断する時間がある一定時間Ｔ０以上継続したとき、制御部３１１は節電モードに移行するメッセージを表示する。ここで、節電モードの例としては、バックライトを消灯して画面を黒い状態にする「消画」や、画面の表示輝度を落としつつ映像が見える状態を保つ「輝度低減」などが挙げられ、いずれの場合も通常モードより消費電力が低い。
【００４４】
図４（ｂ）に、節電モードに移行するメッセージ表示例を示す。１０１はコンテンツ表示装置３００の表示画面上に表示されるメッセージであり、制御部３１１でメッセージを作成し、映像合成処理部３０６でコンテンツ表示データと合成して表示する。
【００４５】
節電モード移行メッセージは、例えば、ユーザがいる場合にモード変更を通知する「まもなく節電モードに移行します」等のメッセージおよび、ユーザがいる場合に操作装置３７０からの操作により感度変更が可能なことを伝えるメッセージである「「決定」を押すとセンシング感度の変更が可能です」等が表示される。
【００４６】
ここで、図７に入力装置３７０の入力キー構成の一例を示す。９５１は電源キーであり、コンテンツ表示装置の電源のオン・オフの操作を行う。９５２は数字キーであり、チューナ部３０２のチャンネル切換えや、数値入力が必要な場合の入力キー等に使用する。９５３は音量アップ・ダウンキーであり、音声出力部３０８の音量等を制御する。９５４はチャンネルアップ・ダウンキーであり、チューナ部３０２のチャンネル切換え等を行う。９５５は、上下左右キーであり、コンテンツ表示装置３００に搭載されたアプリケーション等のボタンの選択や、フォーカスの移動等に使用する。９５６は、上下左右キー９５５で選択した項目を決定する等に使用する。
【００４７】
なお、図７の入力装置のキーの種類、数および配列は一例であり、さらに多くのキーを搭載した入力装置３７０を使用してもよいし、キーの代わりに表示装置とタッチパネルで構成してもよい。メッセージ１０１の「決定」は、例えば、決定キー９５６を示している。ユーザが在室しており、感度を変更したい場合は、ユーザは入力装置３７０の決定キー９５６を押すことで感度を変更できる。
【００４８】
図８に、図４（ａ）から図４（ｂ）への移行する処理フローを示す。コンテンツ表示装置３００は起動すると、ステップＳ１００１で、通常モードからメッセージ表示モードに移行するまでのモード移行時間Ｔ０を設定する。モード移行時間Ｔ０は、例えば、記憶部３１０あるいはメモリ３１２に保存されており、コンテンツ表示装置３００は起動時に制御部３１１が読み出し、設定する。
【００４９】
次に、ステップＳ１００１でタイマ３２１を初期化し、経過時間のリセットを行う。
【００５０】
次に、ステップＳ１００３で、センサ３２３の出力波形からセンサ制御部３２２でユーザの在・不在を検知し、ユーザがいると判断した場合はステップＳ１００２に戻り、ユーザがいると判断できない場合はステップＳ１００４で経過時間を確認する。
【００５１】
Ｓ１００４で、先に設定したモード移行時間Ｔ０よりも経過時間が短い場合はステップＳ１００３に戻り、長い場合はステップＳ１００５の節電モード移行するメッセージを表示するメッセージ表示モードへ移行する。
【００５２】
図４（ｃ）に、メッセージ１０１を表示してから所定の時間Ｔ１内に、ユーザの動きを検知できない場合のコンテンツ表示装置３００の表示例、すなわち節電モード時の表示例を示す。図４（ｃ）の表示画面では、表示画面のバックライトを消すこと等により、表示画面に何も表示されていない状態となっている。図４（ｃ）では表示画面に何も表示されていない例を示したが、前述したように画面の表示輝度を落としつつ映像を表示することで、通常モードよりも消費電力が低い状態であってもよい。
【００５３】
このとき、コンテンツ表示装置３００の画面状態は「節電モード」に切り替わる。図４（ｂ）あるいは図４（ｃ）の状態の時、ユーザがコンテンツ表示装置３００の視聴エリアにいる場合、ユーザは動くことでコンテンツ表装置３００の表示モードを  図４（ａ）に示したような、「通常モード」に移行させることができる。
【００５４】
次に、コンテンツ表示装置３００に節電モードに移行するメッセージを表示してから所定の時間Ｔ２以内にユーザが所定の操作をすることにより、センサ制御の感度を変える方法について説明する。
【００５５】
図９に、センサ制御の感度の設定に移行するモード（感度設定移行モード）の処理フローを示す。節電モードに移行するメッセージの表示を開始すると、ステップＳ２００１で、感度設定時間（所定のキー入力によりセンサ制御の感度を設定するモードに移行可能な時間）および画面表示時間（節電モードに移行するメッセージを表示する時間）を設定し、タイマ３２１を初期化することにより経過時間の初期化を行う。
【００５６】
ステップＳ２００１で動き検知を確認し、動きが検知された場合はステップＳ２００３で画面表示時間設定を解除し、表示しているメッセージを消す。なお、ユーザに感度変更ができることを認識させるための表示、例えば、感度変更ができる旨のメッセージ、あるいは、感度変更ができることを示す画像等を感度変更できる期間表示してもよい。ステップＳ２００４では、予め設定されているキー入力を確認する。例えば、リモコンの決定キー９５６のキーコードが設定されている場合、ユーザがリモコンの決定キー９５６を押したかどうかを確認する。
【００５７】
決定キー９５６の入力がない場合は、ステップＳ２００６で画面表示時間設定を確認し、画面表示時間の設定がある場合は、ステップＳ２００７で画面表示時間と経過時間とを比較し、画面表示時間の設定がない場合は、ステップＳ２００９で感度設定時間と経過時間とを比較する。
【００５８】
ステップＳ２００７で経過時間が画面表示時間よりも大きい場合、Ｓ２００８で画面表示時間を解除し、画面表示を節電モードに移行する。ステップＳ２００７で経過時間が画面表示時間よりも小さい場合、ステップＳ２００９感度設定時間と経過時間とを比較する。
【００５９】
ステップＳ２００９では感度設定時間を経過時間を比較し、経過時間が感度設定時間より大きいとステップＳ２０１０で感度設定移行モードを解除する。経過時間が感度設定時間より大きいとステップＳ２００２に戻る。
【００６０】
ここで、図９のステップＳ２００４でユーザが決定キー９５６を押し、センサ３２３の閾値の設定が変更される状態を説明する。図１０に、センサ３２３の出力波形の一例を示す。図３と同じものには同じ番号を付し説明は省略する。２３１は人が存在すると判断する上部の閾値のレベル、２３２は下方の閾値のレベルを示しており、センサ制御部３２２では、出力波形が上部の閾値２３１以上あるいは、下部の閾値２３２以下の場合にユーザが存在していると判断する。
【００６１】
７０１は感度切替えタイミングを示している。閾値２０１レベルと閾値レベル２０２、閾値レベル２１１と閾値レベル２１２は対で使用され、感度設定により切り替える。図９のステップＳ２００４で決定キー９５６を押した場合、閾値レベル２０１および閾値レベル２０２から閾値レベル２１１および閾値レベル２１２に切り替える。すなわち、ここでは図９のステップＳ２００４で決定キー９５６を押したタイミングがタイミング７０１である。
【００６２】
閾値レベル２１１および閾値レベル２１２では、閾値レベル２０１および閾値レベル２０２で人が不在とされていた動きでも、動きがあると検出することができ、ユーザの動き状況や、周囲の環境により移動モード設定の感度を上げて、ユーザが在室中に余計な操作や動きを要求することをなくすことができる。
【００６３】
以上、感度設定の切り替えを入力装置３７０の決定キー９５６を使用した例について説明したが、入力装置に搭載されているハードウェアおよびソフトウェアの他のキーとしてもよい。また、本実施例ではセンサ制御３２２で判断する閾値を変更することにより感度を変更する例について説明したが、閾値を変えずに、増幅回路３２４の増幅率を変えるようにしてもよい。
【００６４】
なお、上述した本実施形態は本発明の説明のための例示であり、本発明の範囲を実施形態にのみ限定する趣旨ではない。
【実施例２】
【００６５】
本実施例では、ユーザの動きを認識することによりコンテンツ表示装置の動き検出感度を設定する方法について具体的な例について説明する。
【００６６】
図１１は、本実施例におけるコンテンツ表示装置の構成の一例を示した図である。図１と同じものには同じ番号を付し、説明は省略する。８００はコンテンツ表示装置であり、８０１はカメラ等の撮像部、８０２は撮像部で撮像したユーザの動画像から手などの動体を検出し、検出した動体の移動方向および移動量を解析する動き検出部である。
制御部３１１は動き検出部８０２で検出された動きから、コンテンツ表示装置の状態に応じた制御を行う。
【００６７】
図１２に、コンテンツ表示装置の表示画面例およびユーザ操作例を示す。図１１と同じものには同じ番号を付し、説明は省略する。１１０は、通常モードから節電モードに移行時の表示メッセージ例であり、２はユーザ、３はユーザが手を動かした際の手の軌跡を示している。ユーザ２の動作は撮像部８０２で撮影されている。
【００６８】
図１３に、感度設定移行モード時の処理フローを示す。図９と同じものには同じ番号を付し、説明は省略する。コンテンツ表示装置８００は、メッセージ表示モードでステップＳ２００１の後に、ステップＳ３００１で、撮像部８０２からの映像を動作検出部８０１で検出および解析し、ユーザの動作を認識する動作検出処理を開始する。
【００６９】
次にステップＳ２００２の動き検出の判定後、Ｓ３００２では図９のＳ２００４の代わりに動作検出部８０１で所定の動作が検出されたか否かを判定する。ステップＳ３００２で所定動作が認識されると、ステップＳ２００５で感度設定を行う。ステップＳ２００９での処理が終了後は、ステップＳ３００３で、動作検出処理を終了する。
【００７０】
以上説明したコンテンツ表示装置では、ユーザがリモコン等の装置を手に取ることなく、感度の設定が可能である。また、感度の設定期間が限られているため、誤動作がしにくくすることができる。
【実施例３】
【００７１】
本実施例では、コンテンツ表示装置の初期設定時の地域情報を利用してコンテンツ表示装置の動き検出感度を設定する方法を説明する。
【００７２】
図１４に、コンテンツ表示装置３００の初期設定の処理フロー例を示す。初期設定は、地域毎に異なる周波数で放送されているコンテンツを視聴する為のチューナ部３０２の設定例を示す。初期設定を開始すると、まずステップＳ４００１でユーザに郵便番号などの地域情報の入力を促す。ユーザが地域情報を入力すると、ステップＳ４００２で制御部３１１は記憶部３１０に地域情報を記録する。次に、ステップＳ４００３で、地域に割り当てられた範囲でＣＨスキャンを行い、受信できたＣＨをステップＳ４００４で記録する。
【００７３】
次に、記録された地域情報を元に、気象データ取得について説明する。図１５に、システム構成図を示す。図１と同じものには同じ番号を付し、説明は省略する。９００は、各地の気温や天気が配信可能な情報サーバである。コンテンツ表示装置３００はネットワーク３６０を介して情報サーバに接続し、記憶部３１０に記録された地域情報をもとに、コンテンツ表示装置３００がある地域の気温データを取得する。
【００７４】
図１６に気温データと感度の設定例を示す。図１６では気温を３段階に分けた例を示しており、９２１は、気温データが２５℃以上の場合であり、人の体温と気温の差が小さく、センサ３２３の出力波形の振幅が小さくなるため、感度を最も強に設定する。９２２は、気温データが１５℃以上２５℃未満の場合であり、感度を中に設定する。９２３は気温データが１５℃未満の場合であり、人の体温と気温の差が大きく、感度を弱に設定しても動きを検知しやすいため感度を弱に設定する。
【００７５】
図１７に感度設定の処理フローを示す。制御部３１１は、ステップＳ５００１で、記憶部３１０に記録されている地域情報を取得し、ステップＳ５００１でネットワークインタフェース部３０１、ネットワーク３６０を介して情報サーバ９００に接続し、ステップＳ５００３でコンテンツ表示装置が設置されている地域の気温データを取得する。ステップＳ５００４で、取得した気温データと図１６に示した、気温と感度の関係から、設定する感度を選択し、設定する。以上の処理により、気温に合わせた感度設定を行うことができる。
【００７６】
本実施例により、気温が変化するに従いセンサの感度が変化しても、気温に合わせた感度設定を行うことができ、ユーザの動きを正しく検知することができる。
【００７７】
なお、本実施例では設定された地域情報に基づいて情報サーバから気象データを取得する構成を説明したが、地域ごとに予めセンサの感度を設定しておき、設定された地域情報に基づいてセンサ感度を設定するように構成してもよい。
【符号の説明】
【００７８】
３００  コンテンツ表示装置
３０１  コンテンツ記録再生部
３０２  チューナ部
３０３  ネットワークインタフェース部
３０４  コンテンツ切替え部
３０５  映像・音声デコード部
３０６  映像合成部
３０７  映像出力部
３０８  音声出力部
３０９  ユーザＩ／Ｏ部
３１０  記憶部
３１１  制御部
３１２  メモリ
３２１  タイマ
３２２  センサ制御部
３２３  センサ
３２４  増幅回路
３２５  Ａ／Ｄ変換回路
３５０  アンテナ
３６０  ネットワーク
３７０  操作装置
【図１】
2013031027.tif 000003
【図２】
2013031027.tif 000004
【図３】
2013031027.tif 000005
【図４（ａ）】
2013031027.tif 000006
【図４（ｂ）】
2013031027.tif 000007
【図４（ｃ）】
2013031027.tif 000008
【図５】
2013031027.tif 000009
【図６】
2013031027.tif 000010
【図７】
2013031027.tif 000011
【図８】
2013031027.tif 000012
【図９】
2013031027.tif 000013
【図１０】
2013031027.tif 000014
【図１１】
2013031027.tif 000015
【図１２】
2013031027.tif 000016
【図１３】
2013031027.tif 000017
【図１４】
2013031027.tif 000018
【図１５】
2013031027.tif 000019
【図１６】
2013031027.tif 000020
【図１７】
2013031027.tif 000021